(57)【特許請求の範囲】
【請求項１】
車椅子の座面に掛止することのできる掛止腕と、
前記掛止腕と一体に構成され、車椅子の座面の下方に配置される枠体と、
前記枠体を覆うように取り付けられるカバーと、
を備え、
前記カバーは、取り付け／取り外し自在に構成されることを特徴とする、車いす用の尿パック保持具。
【請求項２】
車椅子の座面に掛止することのできる掛止腕と、
前記掛止腕と一体に構成され、車椅子の座面の下方に配置される枠体と、
前記枠体を覆うように取り付けられるカバーと、
を備え、
前記カバーの端縁近傍には折り返されて互いに貼りつく面ファスナーが取り付けられ、深さ又は幅を調整することができるようになっていることを特徴とする、車いす用の尿パック保持具。
【請求項３】
車椅子の座面に掛止することのできる掛止腕と、
前記掛止腕と一体に構成され、車椅子の座面の下方に配置される枠体と、
前記枠体を覆うように取り付けられるカバーと、
を備え、
前記枠体は、前記尿パックに貯留された尿が逆流しないように、開口している前方が上で後方が下になるように傾斜していることを特徴とする、車いす用の尿パック保持具。
【請求項４】
車椅子の座面に掛止することのできる掛止腕と、
前記掛止腕と一体に構成され、車椅子の座面の下方に配置される枠体と、
前記枠体を覆うように取り付けられるカバーと、
を備え、
前記枠体には、吊下用のリングがさらに取り付けられていることを特徴とする、車いす用の尿パック保持具。
【発明の詳細な説明】
【技術分野】
【０００１】
本発明は、見た目に利用者や周囲の人が不快にならず、尿臭も軽減出来て車椅子に簡単に取り付けが可能な車椅子用の尿パック保持具に関するものである。
【背景技術】
【０００２】
従来は、尿パックを、車椅子の横・後ろに吊り下げる取付方法が一般的であった。しかしながら、チューブを引っ掛けてしまったり、見た目から周囲の人が不快になったりするという問題があった。このため、子供用Ｔシャツや手作りのカバーをかけて、周囲から見えないようにする工夫も行われていた。さらに、吊り下げ用には、Ｓ字フックを利用して車椅子の手すり又は背面シートの後ろのポケットに引っ掛けていた。
【０００３】
このように、従来は、尿カテーテルを挿入し、尿パックを使用していることが、ひと目で解るようになっていた。さらには、尿による悪臭を感じる人も多くいた。また、ベッドでは柵にＳ字フック又は尿パック専用のフックに掛けていた。
【０００４】
これに関連して、例えば特許文献１には、車椅子に着座したまま排泄行為を行うことが可能な車椅子が開示されている。ただし、特許文献１の技術は、車椅子自体に改造を加えるものであり、既存の車椅子にそのまま適用することはできない。
【先行技術文献】
【特許文献】
【０００５】
【特許文献１】特開２０１２−２３９６４６号公報
【発明の概要】
【発明が解決しようとする課題】
【０００６】
しかしながら、従来の尿パックを横又は後ろに吊り下げる方法では、チューブが車椅子のタイヤに擦れたり引っかかったりすることで、尿カテーテルが引っ張られて抜けたり、痛い思いをする、といった問題があった。加えて、見た目の不快感や、尿臭の問題もあった。
【０００７】
そこで、本発明は、車椅子でも安全かつ快適に外出・旅行できる、車椅子用の尿パック保持具を提供することを目的としている。
【課題を解決するための手段】
【０００８】
前記目的を達成するために、本発明の車椅子用の尿パック保持具は、車椅子の座面に掛止することのできる掛止腕と、前記掛止腕と一体に構成され、車椅子の座面の下方に配置される枠体と、前記枠体を覆うように取り付けられるカバーと、を備えることを特徴としている。
【発明の効果】
【０００９】
このように、本発明の車椅子用の尿パック保持具は、車椅子の座面に掛止することのできる掛止腕と、掛止腕と一体に構成され、車椅子の座面の下方に配置される枠体と、枠体を覆うように取り付けられるカバーと、を備えている。このような構成によれば、車椅子でも安全かつ快適に外出・旅行できるようになる。すなわち、尿パックを座面の下方に収納することで安全性が向上するうえ、目立たない場所に尿パック保持具を取り付けることで利用者や周囲の人が不快になることもない。
【図面の簡単な説明】
【００１０】
【図１】尿パック保持具の斜視図である。
【図２】尿パック保持具の正面図である。
【図３】尿パック保持具の背面図である。
【図４】尿パック保持具の側面図である。
【図５】尿パック保持具の枠の斜視図である。
【図６】尿パック保持具の枠を上方から見た平面図である。
【図７】尿パック保持具のカバーの展開図である。
【図８】車椅子に尿パック保持具を装着した状態の断面図である。
【発明を実施するための形態】
【００１１】
以下、本発明の実施の形態について図面を参照して説明する。
【実施例】
【００１２】
（構成）
まず、図１を用いて本実施例の車椅子用の尿パック保持具１の全体構成を説明する。本実施例の車椅子用の尿パック保持具１は、図１の斜視図に示すように、車椅子の座面に掛止することのできる掛止腕２、２と、掛止腕２、２と一体に構成され、車椅子の座面の下方に配置される枠体３と、枠体３を覆うように取り付けられるカバー４と、を備えている。さらに、本実施例の車椅子用の尿パック保持具１では、枠体３の上前枠３１１（図５参照）の略中央に引っ掛けるためのリング５が取り付けられている。
【００１３】
この尿パック保持具１は、右側面と左側面と後面（背面）と底面の４面がカバー４によって覆われている一方で、前面（正面）と上面とがカバー４によって覆われておらず開口している。したがって、前面（正面）から尿パック（後述）を出し入れしやすくなっている。
【００１４】
また尿パック保持具１は、図２の正面図及び図３の背面図に示すように、上面よりも下面のほうが広く形成された台形断面となっている。また、図４の側面図に示すように、前から後ろに向かって傾斜した底面を備えている。このような形状によって、尿パック保持具１の内部で尿パックが安定して保持され、脱落することがないようになっている。
【００１５】
掛止腕２は、金属製や樹脂製の薄板によって舌状に形成され、枠体３の上前枠３１１（図５参照）に固定されている。なお、掛止腕２は、枠体３と同じ棒状の材料をＵ字状等に屈曲させて形成することもできる。掛止腕２は、使用時には、車椅子の座面の上において、座面とクッションとの間に挿し込まれる。
【００１６】
枠体３は、金属製や樹脂製の棒部材（例えば、直径７〜８ｍｍ）を連結したり屈曲させたりして、後部が下がった台形枠状（台形骨組み状）に形成される。枠体３は、図５の斜視図に示すように、上前枠３１１と、上後枠３１２と、上右枠３１３と、上左枠３１４と、によって構成される上部の四角形の枠と、下前枠３２１と、下後枠３２２と、下右枠３２３と、下左枠３２４と、によって構成される下部の四角形の枠と、を４本の柱枠（右前柱３３１、左前柱３３２、右後柱３３３、左後柱３３４）によって連結することによって構成される。
【００１７】
ここにおいて、上部の四角形の枠は、下部の四角形の枠よりも左右の幅が狭く形成されているため、４本の柱枠は上部から下部に向かって外側に開くように傾斜している。さらに、下右枠３２３と下左枠３２４は、前側より後側が下になるように傾斜している。
【００１８】
カバー４は、布や紙などによって十字状に形成されるものであり、底部４１と、背面部４２と、右側面部４３と、左側面部４４と、によって構成されている。そして、カバー４の４つの端部近傍には、折り返して固定できる雄雌の面ファスナーがそれぞれ取り付けられて、交換したり洗濯したりできるようになっている。
【００１９】
すなわち、底部４１の前端には、面ファスナー４１ａ、４１ｂが取り付けられている。同様に、背面部４２の後端には、面ファスナー４２ａ、４２ｂが取り付けられている。そして、右側面部４３の右端及び左側面部４４の左端には、それぞれ面ファスナー４３ａ、４３ｂ、４４ａ、４４ｂが取り付けられている。これらの各面ファスナー４１ａ、４１ｂ〜４４ａ、４４ｂは、位置を調整できるように、十分な幅を有して形成されている。
【００２０】
（作用）
次に、本実施例の車椅子用の尿パック保持具１の奏する作用・効果について説明する。
【００２１】
（１）上述してきたように、本実施例の車椅子用の尿パック保持具１は、図８に示すように、車椅子９０の座面９１に掛止することのできる掛止腕２、２と、掛止腕２、２と一体に構成され、車椅子９０の座面９１の下方に配置される枠体３と、枠体３を覆うように取り付けられるカバー４と、を備えている。このような構成によれば、車椅子９０でも安全かつ快適に外出・旅行できるようになる。
【００２２】
すなわち、図８に示すように、尿パック８０を車椅子９０の座面９１の下方に収納することで安全性が向上するうえ、目立たない場所に尿パック保持具１を取り付けることで利用者や周囲の人が不快になることもない。なお、通常、座面９１の上には、クッション９２を設置するため、掛止腕２が臀部と接触することはない。
【００２３】
（２）また、カバー４は、取り付け／取り外し自在に構成されることで、交換したり洗濯したりして再使用することが容易である。また、洗濯しやすいため、尿臭を抑制することもできる。なお、洗い替え用に複数のカバー４を備えていれば、乾くまで待つ必要がない。
【００２４】
（３）さらに、カバー４の端縁近傍には折り返されて互いに貼りつく面ファスナー４１ａ〜４４ｂが取り付けられ、深さ又は幅を調整することができるようになっている。このように、面ファスナー４１ａ〜４４ｂの幅を広くとることで、簡易な方法によって深さ又は幅を調整することができるようになっている。
【００２５】
（４）さらに、枠体３は、尿パック８０に貯留された尿が逆流しないように、開口している前方が上で後方が下になるように傾斜している。このような構成によれば、尿パック８０に貯留された尿が逆流しない。さらに、尿パック８０自体の滑落を防止することもできる。
【００２６】
（５）また、枠体３には、吊下用のリング５がさらに取り付けられているため、ベッドの柵に吊り下げることもでき、ベッド用の保持具を準備する必要がなくなる。さらに、尿を捨てる際にも、本体から取り出さずに捨てることができる。
【００２７】
上、図面を参照して、本発明の実施例を詳述してきたが、具体的な構成は、この実施例に限らず、本発明の要旨を逸脱しない程度の設計的変更は、本発明に含まれる。
【００２８】
例えば、実施例では、下部の四角形の枠の方が上部の四角形の枠よりも幅が広いとして説明したが、これに限定されるものではなく、上部の四角形の枠と下部の四角形の枠は、幅が同じであってもよい。
【００２９】
また、下部の四角形の枠には、間に縦桟や横桟が入っていてもよい。例えば、下前枠３２１から下後枠３２２に１つ又は複数の補助枠が架け渡されていてもよい。
【産業上の利用可能性】
【００３０】
上述した発明は、車椅子使用をされている利用者・ご家族が病院受診や外出する場合に、人目につきにくく、尿臭も気になりにくい。さらに、自家用車などに車椅子を畳んで収納するときなどにも、簡単に取り付け／取り外しが容易である。また、本発明は、安全性に富んでおり、人ごみの中でも人目を気にすることなく、さらに寝るときにわざわざ尿パックを取り出して別のフックに掛け直す必要がなく、清潔感を保つことができる。本発明は、従来のように、見えていて当たり前ではなく、見た目にもすっきりして不快感がなく、便利でコンパクトである。発明者は、車椅子の人であっても外出して楽しめるということを、多くの人に知って欲しいと考えている。
【符号の説明】
【００３１】
１          尿パックの保持具
２          掛止腕
３          枠体
４          カバー
５          リング
８０        尿パック
９０        車椅子
９１        座面
【要約】
【課題】車椅子でも安全かつ快適に外出・旅行できる、車椅子用の尿パック保持具を提供する。
【解決手段】車椅子用の尿パック保持具１である。この尿パック保持具１は、車椅子９０の座面９１に掛止することのできる掛止腕２、２と、掛止腕２、２と一体に構成され、車椅子９０の座面９１の下方に配置される枠体３と、枠体３を覆うように取り付けられるカバー４と、を備えている。また、カバー４は、取り付け／取り外し自在に構成されている。
【選択図】図１【図１】
0006045093.tif 000002
【図２】
0006045093.tif 000003
【図３】
0006045093.tif 000004
【図４】
0006045093.tif 000005
【図５】
0006045093.tif 000006
【図６】
0006045093.tif 000007
【図７】
0006045093.tif 000008
【図８】
0006045093.tif 000009